【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
変動表示を行なう複数の変動表示部から構成される変動表示手段に特定表示結果が導出表示されたときに、遊技者にとって有利な特定状態に制御する遊技機であって、
前記特定状態に制御するか否かを決定する決定手段と、
前記変動表示手段において、前記特定表示結果の一部を構成しているが、少なくとも一部の前記変動表示部が変動表示中であるリーチ状態となった後にリーチ演出を実行するリーチ演出実行手段と、
前記決定手段の決定結果に基づいて、前記リーチ演出実行手段で実行するリーチ演出を決定するリーチ演出決定手段とを備え、
前記リーチ演出決定手段は、前記決定手段の決定結果に基づいて、ノーマルリーチ演出で表示結果を導出表示するリーチ演出とするか、前記ノーマルリーチ演出の後にスーパーリーチ演出に発展させて該スーパーリーチ演出で表示結果を導出表示するリーチ演出とするかを決定し、
前記ノーマルリーチ演出から前記スーパーリーチ演出への発展に関連して、前記ノーマルリーチ演出において前記特定表示結果ではない非特定表示結果と同様のリーチハズレ態様で変動表示を仮停止させた後、一部の前記変動表示部の変動表示を再開させる第１発展演出、または前記ノーマルリーチ演出において前記リーチハズレ態様で変動表示を仮停止させずに一部の前記変動表示部の変動表示を行なう第２発展演出を実行する発展演出実行手段と、
前記変動表示手段において変動表示が開始されてから表示結果を導出表示する以前に前記複数の変動表示部において変動表示を仮停止させてから変動表示を再開する再変動表示を１回または複数回実行する再変動表示実行手段と、
をさらに備え、
前記再変動表示の回数が所定回数未満のときは、前記ノーマルリーチ演出で表示結果として前記非特定表示結果を導出表示するリーチ演出が決定される場合があるが、前記再変動表示の回数が所定回数以上のときは、前記ノーマルリーチ演出で表示結果として前記非特定表示結果を導出表示するリーチ演出が決定される場合がなく、
前記発展演出実行手段は、前記再変動表示の回数が所定回数未満であることを条件として、前記第１発展演出を実行し、
前記再変動表示実行手段は、前記再変動表示を実行するときに、複数種類の仮停止態様のうちいずれかの仮停止態様で変動表示を仮停止させる、遊技機。
【手続補正２】
【補正対象書類名】明細書
【補正対象項目名】０００１
【補正方法】変更
【補正の内容】
【０００１】
本発明は、変動表示を行なう複数の変動表示部から構成される変動表示手段に特定表示結果が導出表示されたときに、遊技者にとって有利な特定状態に制御する遊技機に関する。
【手続補正３】
【補正対象書類名】明細書
【補正対象項目名】０００９
【補正方法】変更
【補正の内容】
【０００９】
（１）  変動表示を行なう複数の変動表示部（「左」，「中」，「右」の図柄表示エリア９Ｌ，９Ｃ，９Ｒ）から構成される変動表示手段（演出表示装置９）に特定表示結果（大当り表示結果）が導出表示されたときに、遊技者にとって有利な特定状態（大当り遊技状態）に制御する遊技機（パチンコ遊技機１）であって、
前記特定状態に制御するか否かを決定する決定手段と、
前記変動表示手段において、前記特定表示結果の一部を構成しているが、少なくとも一部の前記変動表示部が変動表示中であるリーチ状態となった後にリーチ演出を実行するリーチ演出実行手段（演出制御用マイクロコンピュータ１００、図４０のＳ８０１，Ｓ８０２、図４２のＳ５２０〜Ｓ５２４、図４３のＳ８４４，Ｓ８４５におけるリーチ演出に関連する処理）と、
前記決定手段の決定結果に基づいて、前記リーチ演出実行手段で実行するリーチ演出を決定するリーチ演出決定手段とを備え、
前記リーチ演出決定手段は、前記決定手段の決定結果に基づいて、ノーマルリーチ演出で表示結果を導出表示するリーチ演出とするか、前記ノーマルリーチ演出の後にスーパーリーチ演出に発展させて該スーパーリーチ演出で表示結果を導出表示するリーチ演出とするかを決定し、
前記ノーマルリーチ演出から前記スーパーリーチ演出への発展に関連して、前記ノーマルリーチ演出において前記特定表示結果ではない非特定表示結果と同様のリーチハズレ態様で変動表示を仮停止させた後、一部の前記変動表示部の変動表示を再開させる第１発展演出（図１１等の再変動後発展演出）、または前記ノーマルリーチ演出において前記リーチハズレ態様で変動表示を仮停止させずに一部の前記変動表示部の変動表示を行なう第２発展演出（図１１等の再変動なし発展演出）を実行する発展演出実行手段（演出制御用マイクロコンピュータ１００、図４０のＳ８０１，Ｓ８０２、図４２のＳ５１０，Ｓ５１３、Ｓ５２０〜Ｓ５２４、図４３のＳ８４４，Ｓ８４５における発展演出に関連する処理）と、
前記変動表示手段において変動表示が開始されてから表示結果を導出表示する以前に前記複数の変動表示部において変動表示を仮停止させてから変動表示を再開する再変動表示（図９のような擬似連の再変動）を１回または複数回実行する再変動表示実行手段（演出制御用マイクロコンピュータ１００、図４０のＳ８０１，Ｓ８０２、図４２のＳ５２０〜Ｓ５２４、図４３のＳ８４４，Ｓ８４５における擬似連の再変動に関連する処理）と、
をさらに備え、
前記再変動表示の回数が所定回数未満のときは、前記ノーマルリーチ演出で表示結果として前記非特定表示結果を導出表示するリーチ演出が決定される場合があるが、前記再変動表示の回数が所定回数以上のときは、前記ノーマルリーチ演出で表示結果として前記非特定表示結果を導出表示するリーチ演出が決定される場合がなく、
前記発展演出実行手段は、前記再変動表示の回数が所定回数（４回）未満であることを条件として、前記第１発展演出を実行し（図４２のＳ５０９により擬似連で４回の再変動を行なうと判断されたときには、図４２のＳ５１３により図３７（Ｂ）の第２演出態様選択テーブルを用いて発展演出態様が選択され、図４２のＳ５０９により擬似連で４回未満の再変動を行なうと判断されたときには、図４２のＳ５１０により図３７（Ａ）の第１演出態様選択テーブルを用いて発展演出態様が選択される。第２演出態様選択テーブルでは再変動後発展演出が選択できないが、第１演出態様選択テーブルでは再変動後発展演出が選択できるので、擬似連で４回未満の再変動を行なうことを条件として、再変動後発展演出が実行される。）、
前記再変動表示実行手段は、前記再変動表示を実行するときに、複数種類の仮停止態様のうちいずれかの仮停止態様で変動表示を仮停止させる。
【手続補正４】
【補正対象書類名】明細書
【補正対象項目名】００１１
【補正方法】変更
【補正の内容】
【００１１】
（２）  前記（１）の遊技機において、前記変動表示手段は、始動条件（たとえば、遊技球が第１始動入賞口１３または第２始動入賞口１４に入賞したこと）の成立に応じて変動表示を行ない（図１６のＳ３１１，Ｓ３１２、図２５のＳ５１）、
前記始動条件が成立したときに抽出したデータを保留記憶として記憶する保留記憶手段（第１保留記憶バッファ、第２保留記憶バッファ）をさらに備え、
前記決定手段は、前記保留記憶に基づいて変動表示を開始するときに、前記特定状態に制御するか否かを決定し（図２１のＳ６０，Ｓ７１〜Ｓ７３）、
前記リーチ演出を実行する変動表示パターンを含む複数種類の変動表示パターンの中から、前記決定手段による決定に基づいて変動表示パターンを選択する変動表示パターン選択手段（遊技制御用マイクロコンピュータ５６０、図２６のＳ１１４，Ｓ１１５）をさらに備え、
前記リーチ演出実行手段は、前記変動表示パターン選択手段によりリーチ演出を実行する変動表示パターンが選択されたときにリーチ演出を実行し（図４２のＳ５２０）、
前記変動表示パターン選択手段は、前記保留記憶手段に記憶されている保留記憶数が所定数以上のときに、当該保留記憶数が所定数未満のときよりも低い選択割合で、前記ノーマルリーチ演出を実行する変動表示パターンを選択する（図１９、および、図２０の変形例において、合算保留記憶数が５以上であるときには合算保留記憶数が５未満であるときと比べて、ノーマルリーチの変動パターンが選択される割合が低い。）。
【手続補正５】
【補正対象書類名】明細書
【補正対象項目名】００１５
【補正方法】変更
【補正の内容】
【００１５】
以下、本発明の実施の形態を、図面を参照して説明する。なお、遊技機の一例としてパチンコ遊技機を示すが、本発明はパチンコ遊技機に限られず、コイン遊技機等のその他の遊技機であってもよく、変動表示を行なう複数の変動表示部から構成される変動表示手段に特定表示結果が導出表示されたときに、遊技者にとって有利な特定状態に制御する遊技機であれば、どのような遊技機であってもよい。